(57)【要約】【課題】立体感を向上することができる表示プレートを提供する。【解決手段】表札１は、凹凸模様が形成された表面２ａを有する有色のカラープレート２と、カラープレート２と間隔を有して相対向して配置されたカバープレート３と、カラープレート２及びカバープレート３との間に間隔を設ける固定部４とを備え、カラープレート２の表面２ａに、カバープレート３の裏面３ｂが相対向するとともに、カバープレート３の裏面３ｂには、鏡像化された文字３ｇ又は図柄が切り彫りされている。【選択図】図１
2008020824.tif 000002
【特許請求の範囲】
【請求項１】
凹凸模様が形成された模様形成面を有する有色の第１プレートと、当該第１プレートと間隔を有して相対向して配置された第２プレートと、
前記第１プレート及び前記第２プレートとの間に間隔を設ける間隔保持部材とを備え、
前記第１プレートの前記模様形成面に、前記第２プレートの裏面が相対向するとともに、当該第２プレートの前記裏面には、鏡像化された文字又は図柄が切り彫りされていることを特徴とする表示プレート。
【請求項２】
請求項１に記載の表示プレートにおいて、
前記第２プレートは無色透明であるとともに、前記第２プレートの少なくとも表面は鏡面であることを特徴とする表示プレート。
【請求項３】
請求項１又は２に記載の表示プレートにおいて、
前記第１プレートは、有色透明であることを特徴とする表示プレート。
【請求項４】
請求項１〜３のいずれか１項に記載の表示プレートにおいて、
前記第１プレートは、光を前記第１プレート及び前記第２プレートに入射させる入射面を有していることを特徴とする表示プレート。
【請求項５】
請求項１〜４のいずれか１項に記載の表示プレートにおいて、
前記第２プレートに切り彫りされた前記文字又は前記図柄の溝部は、着色していることを特徴とする表示プレート。
【発明の詳細な説明】
【技術分野】
【０００１】
本発明は、表示プレートに関する。
【背景技術】
【０００２】
最近、表札、案内表示板等の表示プレートは、ユーザの嗜好に合わせ、材質及びデザインが多様化している。この表示プレートの一つに、文字や図柄を立体的に見せて、デザイン性を高めたものがある。
【０００３】
特許文献１には、鏡の台材の表面に部分的につや消し加工を施し、文字を描画したつや消し部と、別の文字が描画されつや消し加工を施していない鏡部とを備えた表札が記載されている。この表札のつや消し部と鏡部との間には０．１ｍｍほどの段差が設けられている。また、台材の裏には金属薄膜が形成されている。この金属薄膜に、つや消し部及び鏡部に描画された文字が反射することにより文字が立体的に見え、つや消し部及び鏡部の間に設けられた段差により全体的な立体感を高めている。
【特許文献１】実用新案登録第３１０７１０７号公報
【発明の開示】
【発明が解決しようとする課題】
【０００４】
しかし、金属薄膜に、つや消し部及び鏡部に描画された文字を反射させる場合、文字は２重に見えるのみである。このため、デザイン性及び高級感を高めるために、文字全体をあたかも浮き上がらせて見せるような立体感は生じ得なかった。
【０００５】
また、文字自体に立体感を出そうとすると、大きく文字部分を削り出す必要があるが、板厚が痩せてしまうという問題があった。また、文字部分のみ切り文字で形成することも考えられるが連続文字などのデザインが困難となるという問題もあった。さらにこれらの文字部分に汚れが付きやすいという問題もあった。
【０００６】
本発明は、上記問題点に鑑みてなされたものであり、その目的は、立体感を向上することができる表示プレートを提供することにある。
【課題を解決するための手段】
【０００７】
上記問題点を解決するために、請求項１に記載の発明は、凹凸模様が形成された模様形成面を有する有色の第１プレートと、当該第１プレートと間隔を有して相対向して配置された第２プレートと、前記第１プレート及び前記第２プレートとの間に間隔を設ける間隔保持部材とを備え、前記第１プレートの前記模様形成面に、前記第２プレートの裏面が相対向するとともに、当該第２プレートの前記裏面には、鏡像化された文字又は図柄が切り彫りされていることを要旨とする。
【０００８】
請求項２に記載の発明は、請求項１に記載の表示プレートにおいて、前記第２プレートは無色透明であるとともに、前記第２プレートの少なくとも表面は鏡面であることを要旨とする。
【０００９】
請求項３に記載の発明は、請求項１又は２に記載の表示プレートにおいて、前記第１プレートは、有色透明であることを要旨とする。
請求項４に記載の発明は、請求項１〜３のいずれか１項に記載の表示プレートにおいて、前記第１プレートは、光を前記第１プレート及び前記第２プレートに入射させる入射面を有していることを要旨とする。
【００１０】
請求項５に記載の発明は、請求項１〜４のいずれか１項に記載の表示プレートにおいて、前記第２プレートに切り彫りされた前記文字又は前記図柄の溝部は、着色していることを要旨とする。
【００１１】
（作用）
請求項１に記載の発明によれば、有色の第１プレートの模様形成面と、第２プレートの文字又は図柄が形成された裏面とが相対向している。また、第１プレートと第２プレートとは間隔を有して配置されている。このため、第２プレートの表面側から文字又は図柄を見た際に、文字又は図柄自体が立体的に見えるとともに、その奥にある第１プレートの模様形成面も同時に視認されることにより、文字や図柄を浮き上がっているように見せることができる。
【００１２】
請求項２に記載の発明によれば、第２プレートは無色透明であって、その表面は鏡面になっている。即ち、第２プレートの存在感を小さくすることで、文字又は図柄を、より浮き上がらせて見せることができる。
【００１３】
請求項３に記載の発明によれば、第１プレートは、有色透明であるため、観察者に奥行きを大きくみせ、文字又は図柄を浮き上がり感をより強めることができる。
請求項４に記載の発明によれば、人工光又は自然光が、第１プレート側の入射面から第１プレート及び第２プレートに入射することができるので、文字又は図柄の輪郭を明確にすることができる。また、光が入射面から入射することで、文字又は図柄をより浮き上がらせて見せることができる。
【００１４】
請求項５に記載の発明によれば、文字又は図柄の溝側面は着色しているので、表面から見た際に、文字又は図柄をより明瞭にすることができる。
【発明の効果】
【００１５】
以上詳述したように、本発明によれば、立体感を向上することができる表示プレートを提供することができる。
【発明を実施するための最良の形態】
【００１６】
以下、本発明を具体化した一実施形態を図１〜図７に従って説明する。
図１は表札１の正面側からみた斜視図、図２は要部断面図、図３は表札１の分解斜視図である。図１及び図２に示すように、表示プレートとしての表札１は、有色透明の第１プレートとしてのカラープレート２と、無色透明の第２プレートとしてのカバープレート３と、カラープレート２及びカバープレート３を固定する固定部４とを備えている。
【００１７】
カラープレート２は、緑、青、茶、紫、黄色等に着色されたガラスからなり、厚さ（図中ｙ方向の長さ）数ｍｍ〜数十ｍｍ程度（本実施形態では３ｍｍ）の正方形の板状に形成されている。図１及び図２に示すように、模様形成面としての表面２ａには、細かい波状模様（又は凹凸形状ともいう）が形成されている。これにより、カラープレート２の表面２ａに光が反射すると、表面２ａには細かい陰影がつくようになっている。また、図３に示すように、カラープレート２の四隅には、固定部４を貫挿するための貫挿孔２ｃが貫通形成されている。
【００１８】
図２及び図３に示すように、カバープレート３は、無色又はほぼ無色であって、透明のガラスからなり、厚さ（図中ｙ方向の長さ）数ｍｍ〜数十ｍｍ（本実施形態では８ｍｍ）であって、カラープレート２とほぼ同じ正方形の板状に形成されている。本実施形態では、カバープレート３は、カラープレート２よりも厚くなっている。カバープレート３の表
面３ａ及び裏面３ｂは、鏡面状であって、凹凸のない平滑な面になっている。このため、カバープレート３の表面３ａ及び裏面３ｂは、塵埃が付着しにくく、汚れにくくなっている。
【００１９】
図４は、カバープレート３の裏面３ｂの部分斜視図である。図４に示すように、裏面３ｂには、表札１に表示する名字等の文字３ｇが、本来表示したい文字を鏡像化した鏡文字の状態で切り彫り（刻設）されている。
【００２０】
図５は、文字３ｇを構成する溝部としての溝３ｈの要部断面図である。カバープレート３の裏面３ｂに形成された溝３ｈは、本実施形態では断面Ｖ字状に形成され、溝３ｈの側面には、塗料３ｊが塗布されて、白色に着色されている。このため、例えば図５中矢印に示すようにカバープレート３の上端から光が入射したとき、表面３ａ側から見ると、溝３ｈのうち光が入射する側の上部は、入射した光に照射されることにより明部３ｋとなり、溝３ｈの下部は暗部３ｍとなる。また、明部３ｋと暗部３ｍとの境界は、稜線３ｎになる。このため、図１に示すように、カバープレート３の表面３ａから文字３ｇを見ると、暗部３ｍが文字３ｇの陰影となり、文字３ｇ全体が表面３ａ側（反ｙ方向）に突出し、立体的に見える。このとき、文字を立体的に見せるために、表面３ａから文字を削り出すと、カバープレート３の板厚が痩せてしまうが、このように裏面に文字３ｇを切り彫りすることで、立体的な文字３ｇを形成しつつ、板厚を確保することができる。
【００２１】
さらに、図３に示すように、カバープレート３の四隅には、カラープレート２と同様に、その四隅に固定部４を貫挿するための４つの各貫挿孔３ｃが貫通形成されている。図３に示すように、固定部４は、六角ナット４ａ、第１〜第４Ｏリング４ｂ〜４ｅ、無頭ボルト４ｆ、化粧ナット４ｇから構成される。第１〜第４Ｏリング４ｂ〜４ｅは、ゴム等の弾性材から形成されている。尚、図３では、六角ナット４ａ、第１〜第４Ｏリング４ｂ〜４ｅ、無頭ボルト４ｆ、化粧ナット４ｇは１組のみ図示しているが、実際は４組設けられている。
【００２２】
この固定部４によりカラープレート２及びカバープレート３を固定する際は、例えばカバープレート３の各貫挿孔３ｃに各無頭ボルト４ｆをそれぞれ貫挿する。そして、各貫挿孔３ｃに貫挿された各無頭ボルト４ｆに、表面３ａ側から各第４Ｏリング４ｅを貫挿する。さらに、その上から各化粧ナット４ｇを螺合する。また、各貫挿孔３ｃに貫挿された状態の無頭ボルト４ｆに、カバープレート３の裏面３ｂ側から間隔保持部材としての第２及び第３Ｏリング４ｃ，４ｄを貫挿する。そして、カバープレート３の裏面３ｂと、カラープレート２の表面２ａとを相対向させ、各第２及び第３Ｏリング４ｃ，４ｄが貫挿された各無頭ボルト４ｆを、カラープレート２の表面２ａ側から各貫挿孔２ｃにそれぞれ貫挿する。そして、カラープレート２の裏面２ｂ側から、各貫挿孔２ｃに貫挿された各無頭ボルト４ｆに各第１Ｏリング４ｂをそれぞれ貫挿し、その上から各六角ナット４ａを螺合する。このとき、第１〜第４Ｏリング４ｂ〜４ｅは弾性を有しているため、六角ナット４ａを螺合してもガラスからなるカラープレート２及びカバープレート３が破損されない。
【００２３】
その結果、図２に示すように、カラープレート２及びカバープレート３が、その表面２ａと裏面３ｂとが相対向した状態で互いに固定される。このようにカバープレート３の裏面３ｂをカラープレート２に相対向させることで、カバープレート３の裏面３ｂに形成された溝３ｈ（文字３ｇ）を保護することができる。また、カラープレート２及びカバープレート３との間には、第２Ｏリング４ｃ及び第３Ｏリング４ｄが介在することにより、第２Ｏリング４ｃ及び第３Ｏリング４ｄの厚みを合わせた高さ分だけ、数ｍｍの間隔Ｄが設けられている。このように構成された表札１は、化粧ナット４ｇ等を取り外せば、簡単に分解及び固定することが可能であるので、メンテナンスが容易である。
【００２４】
このように固定された表札１を壁Ｗ等に備え付ける場合には、図２に示すように、六角ナット４ａから突出した無頭ボルト４ｆを、壁Ｗに形成され、接着剤等が注入された孔部Ｗ１等に差し込むことにより固定する。
【００２５】
次に、この表札１の作用について説明する。図６に示すように、観察者がカバープレート３の表面３ａ側から表札１を見た時、観察者の眼球Ｅは、その網膜の中央に、稜線３ｎ等の文字３ｇの像がくるように回転する。観察者は、文字３ｇと両方の眼球Ｅとがなす角度、即ち輻輳角（ふくそう角）α１によって、文字３ｇの奥行き（ｙ方向の長さ）を知覚する。
【００２６】
一方、カラープレート２は、着色していること、且つその表面２ａの波状模様により陰影が形成されることによって、観察者にとって視認しやすくなっている。さらに、このカラープレート２とカバープレート３との間には、間隔Ｄが設けられているため、観察者がカラープレート２の表面２ａを見たときの表面２ａに対する輻輳角α２は、文字３ｇをみるときの輻輳角α１よりも小さくなる。従って、観察者は、この輻輳角α１，α２の違いにより、カラープレート２の表面２ａの奥行き方向（ｙ方向）の位置と、文字３ｇの奥行き方向の位置とが異なるように知覚する。その結果、カバープレート３に形成された文字３ｇは、カラープレート２に対して浮き上がっているように見える。また、カラープレート２が透明性を有することにより、文字３ｇの後ろの奥行き（ｙ方向の長さ）が長く見える。これにより、観察者が表札１を見た際に、文字３ｇがカバープレート３とカラープレート２との境界付近で宙に浮いているように見える。
【００２７】
また、上記したように、カラープレート２の側面又はカバープレート３の側面から、人工光又は自然光が入射すると（図５参照）、立体的に切り彫りされた文字３ｇに明部３ｋと暗部３ｍとが生じ、文字３ｇ自体が立体的に見える。従って、カバープレート３の表面３ａ（反ｙ方向側）側に突出した立体的な文字３ｇが、カラープレート２に対して浮き上がってみえるため、全体的な立体感を向上させることができる。しかも、カバープレート３の表面３ａ及び裏面３ｂを鏡面にすることにより、カバープレート３の存在感が弱められ、文字３ｇをより目立たせるとともに、浮き上がり感を向上することができる。さらに、カバープレート３とカラープレート２との両方を、ガラスを用いて形成することにより、全体的な質感が統一されるとともに透明感が高められ、デザイン性が向上する。
【００２８】
また、この表札１は、図７に示すように、カラープレート２の裏面２ｂ（入射面）側から光を入射させることでより効果を発揮する。詳述すると、壁Ｗ側にＬＥＤ等を有する照明装置５を設け、表札１を、そのカラープレート２の裏面２ｂ側から照明装置５の光が入射するように壁Ｗに取り付ける。カラープレート２の裏面２ｂには、台材等が設けられず、光が入射可能になっているため、カラープレート２に入射した光は、カラープレート２を介してカバープレート３に入射する。このように、表札１の裏側から光が照射されることにより、夜間等、照度が不十分な環境でもカラープレート２の色が鮮明になるとともに、カバープレート３の文字３ｇがより明瞭となる。また、カラープレート２に光が照射されることで、表面２ａの波状模様による陰影が濃くなり、文字３ｇの浮き上がり感も向上できる。このようにカラープレート２を有色透明にした場合には、昼夜に応じた異なる照明効果を奏することができる。
【００２９】
上記実施形態によれば、以下のような効果を得ることができる。
（１）上記実施形態では、有色透明のカラープレート２の波状模様が形成された表面２ａと、無色のカバープレート３の裏面３ｂとを相対向させて固定し、表札１を形成するようにした。従って、観察者が表札１を見た際に、透明なカバープレート３を介して、カラープレート２の波状模様により、その表面２ａが視認されやすくなる。また、カラープレート２とカバープレート３との間に間隔Ｄを設けるようにしたので、観察者がカバープレ
ート３の表面３ａ側から文字３ｇを見たときに、文字３ｇに対する眼球Ｅの輻輳角α１と、カラープレート２に対する輻輳角α２との相違により、文字３ｇがカラープレート２に対して浮き上がっているように見える。このため、表札１の立体感を高め、デザイン性を向上することができる。
【００３０】
（２）上記実施形態では、カバープレート３を、無色透明なガラスから形成し、その表面３ａ及び裏面３ｂを、鏡面にした。このため、カバープレート３の存在感が小さくなり、文字３ｇの浮き上がり感をより高めることができる。また、文字３ｇの表面が透明なカバープレート３で覆われているため、文字表面が汚れることがない。また、カバープレート３の表面３ａも鏡面となっているため汚れが付きにくい。さらに、カバープレート３の表面３ａが汚損しても、布などで拭うだけで常に汚れのない綺麗な文字が表れる。
【００３１】
（３）上記実施形態では、文字３ｇが切り彫りされたカバープレート３の裏面３ｂと、波状模様が形成されたカラープレート２の表面２ａとを相対向させて固定するようにした。これにより、光がカバープレート３に入射した際に、文字３ｇに明部３ｋと暗部３ｍとが生じ、文字３ｇ自体を、カバープレート３の表面３ａ側に突出させた立体的な形状にすることができる。また、カバープレート３の表面３ａに、突状の文字を貼り付けることなく、その裏面３ｂに文字３ｇを切り彫りするので、表札１の厚み方向のスペースを縮小できるとともに、文字３ｇの形成面を外部に直接曝さないことで、文字３ｇ（溝部３ｈ）を保護することができる。
【００３２】
（４）上記実施形態では、カラープレート２を有色透明なガラスから形成するようにした。このため、文字３ｇの後ろの表札１の奥行き（ｙ方向の長さ）を長く見せることができる。これにより、文字３ｇがカバープレート３とカラープレート２との境界付近で宙に浮いているように見せることができるので、表札１の立体感を高めることができる。また、カラープレート２及びカバープレート３の両方がガラスからなるため、デザイン性が高く、変質、変色及び変形しにくい表札１にすることができる。
【００３３】
（５）上記実施形態では、ガラスからなるカラープレート２の裏面２ｂに台材などを設けず、裏面２ｂを照明装置５からの光を入射させる入射面にするようにした。このため、カラープレート２の裏面２ｂから入射した光が、カラープレート２を介して、カバープレート３の裏面３ｂから再び入射することにより、文字３ｇの輪郭をより明瞭に見せるとともに、浮き上がり感をより向上することができる。このため、表札１の背後に照明装置５等を配置する場合に、特に効果を発揮できる。
【００３４】
（６）上記実施形態では、カバープレート３に切り彫りされた文字３ｇの溝３ｈの側面を、塗料３ｊ等により着色するようにした。このため、文字３ｇをより明瞭にすることができる。この塗料３ｊの表側はカバープレート３に密着しているので汚損することもない。
【００３５】
（７）上記実施形態では、固定部４の第２及び第３Ｏリング４ｃ，４ｄを介してカラープレート２及びカバープレート３を固定することにより、カラープレート２及びカバープレート３の間に間隔Ｄを設けるようにした。このため、カラープレート２及びカバープレート３の間に、簡単に間隔Ｄを設けることができる。なお、間隔保持部材としての第２及び第３Ｏリング４ｃ，４ｄは、文字３ｇのデザインによって任意の間隔に変更することもでき、経年劣化したような場合には簡単に交換することができる。
【００３６】
（８）上記実施形態では、固定部４は、六角ナット４ａ、第１〜第４Ｏリング４ｂ〜４ｅ、無頭ボルト４ｆ、化粧ナット４ｇから構成される。このため容易に分解してカラープレート２の表面２ａを洗浄することもでき、光沢を簡単に復活させることもできる。
【００３７】
尚、上記実施形態は以下のように変更してもよい。
・上記実施形態では、カラープレート２及びカバープレート３は、正方形状のガラスからなるとしたが、これ以外の形状でも良く、アクリル等の合成樹脂板を用いてもよい。
【００３８】
・上記実施形態では、カラープレート２の表面２ａに、波状模様を形成したが、これ以外の模様でも良い。例えば、一定の方向に並ぶ波型模様、槌目模様、エンボス模様等、観察者の目で見て、表面２ａに設けられた凹凸が視認できる模様であればよい。
【００３９】
・上記実施形態では、カバープレート３に文字３ｇを切り彫りしたが、図柄でもよい。また、文字３ｇを構成する溝３ｈには、白色の塗料３ｊを塗布するようにしたが、銀白色、黒色、青色等、他の色でもよい。また、レーザ加工等により白色等に着色させる場合には、塗料３ｊを塗布しなくてもよい。
【００４０】
・上記実施形態では、カラープレート２とカバープレート３との間に、２つの第２Ｏリング４ｃ及び第３Ｏリング４ｄを介在させるようにしたが、３つ以上でもよく、間隔Ｄを保持できる厚みがあれば１つでもよい。また、間隔Ｄは数ｍｍでなくても、数十ｍｍでもく、適宜変更してよい。また、間隔保持部材は、第２Ｏリング４ｃ及び第３Ｏリング４ｄでなくても、管状ゴム、その他の形状の弾性部材等でもよい。また、固定部４は、上記した構成に限定されず、無頭ボルト４ｆの替わりに六角ボルト等から構成してもよい。
【００４１】
・上記実施形態では、カバープレート３は、カラープレート２よりも薄い色であれば、着色していてもよい。この場合でも、カバープレート３を介してカラープレート２を視認しやすくすることができる。また、カバープレート３の表面３ａは、鏡面でなくても、カラープレート２が視認できれば、凹凸があってもよい。
【００４２】
・カラープレート２は、有色透明としたが、有色の合成樹脂板等、透明性を有していない材質から形成してもよい。
・上記実施形態では、表札１の背後から照明装置５等により光を照射しない場合には、台材等をカラープレート２側に配設してもよい。
【００４３】
・上記実施形態では、カバープレート３に形成された文字３ｇは、彫刻によって表面３ａ側から視認できる場合には、着色していなくてもよい。
・カラープレート２は、ガラスに限定されず、ステンレス、陶器等の他の材質からなるプレートの表面に凹凸模様が形成されたものでもよい。
【００４４】
・上記実施形態では、表示プレートを表札１に具体化したが、案内表示板や、時計の表示盤等、文字や図柄を表示するその他の表示プレートに具体化してもよい。
【図面の簡単な説明】
【００４５】
【図１】本実施形態の表札の斜視図。
【図２】同表札の要部断面図。
【図３】同表札の分解斜視図。
【図４】同表札のカバープレートを裏面からみた要部斜視図。
【図５】同カバープレートの要部断面図。
【図６】同表札の要部断面図。
【図７】照明装置により照射した同表札の説明図。
【符号の説明】
【００４６】
１…表示プレートとしての表札、２…第１プレートとしてのカラープレート、２ａ…模
様形成面としての表面、２ｂ…入射面としての裏面、３…第２プレートとしてのカバープレート、３ａ…表面、３ｈ…溝部としての溝、３ｂ…裏面、３ｇ…文字、４ｃ…間隔保持部材としての第２Ｏリング、４ｄ…間隔保持部材としての第３Ｏリング、Ｄ…間隔。
【図１】
2008020824.tif 000003
【図２】
2008020824.tif 000004
【図３】
2008020824.tif 000005
【図４】
2008020824.tif 000006
【図５】
2008020824.tif 000007
【図６】
2008020824.tif 000008
【図７】
2008020824.tif 000009